(57)【要約】  終端ストリップ（１２）、殊に幅木、壁終端ストリップ又はこれと等価値のものを固定するための装置（１）であって、該終端ストリップ（１２）のための組立プロフィールを有しており、該組立プロフィールが、壁（２０）及び／又は床（２１）に当接するアングル材（２）によって形成されており、該アングル材（２）が固定部分としての挿入フィンガ（１１）を有していて、この挿入フィンガ（１１）に終端ストリップ（１２）が被せ嵌め可能、かつ緊締可能に保持されるようになっている形式のものにおいて、製造を簡単にするために、かつ多様な床に適合させるために、また後から組み付けることができるようにするために、挿入フィンガ（１１）が、床（２１）に位置する、アングル材（２）の脚（３）から折り曲げられ、かつ湾曲部（９）内で上方に変形されたウエブ（８）であって、該ウエブ（８）が真っ直ぐに延びていて、アングル材（２）の壁脚（４）に対して鋭角（α）を成していて、終端ストリップ（１２）の下面から終端ストリップ（１２）内に形成された長手方向溝（２４）内に係合し、該長手方向溝（２４）内で、ウエブ（８）の湾曲部（９）が、外方に向けられた、長手方向溝（２４）の下側の壁部（２６）を押し付け、挿入フィンガ（１１）の上端部が、長手方向溝（２４）の内方に向けられた壁部（２７）を押し付けるようにすることが、提案されている。
2008516108.tif 000002
【特許請求の範囲】
【請求項１】
終端ストリップ（１２）、殊に幅木、壁終端ストリップ又はこれと等価値のものを固定するための装置（１）であって、該終端ストリップ（１２）のための組立プロフィールを有しており、該組立プロフィールが、壁（２０）及び／又は床（２１）に当接するアングル材（２）によって形成されており、該アングル材（２）が固定部分としての挿入フィンガ（１１）を有していて、この挿入フィンガ（１１）に終端ストリップ（１２）が被せ嵌め可能、かつ緊締可能に保持されるようになっている形式のものにおいて、
挿入フィンガ（１１）が、床（２１）に位置する、アングル材（２）の脚（３）から折り曲げられ、かつ湾曲部（９）内で上方に変形されたウエブ（８）であって、該ウエブ（８）が真っ直ぐに延びていて、アングル材（２）の壁脚（４）に対して鋭角（α）を成していて、終端ストリップ（１２）の下面から終端ストリップ（１２）内に形成された長手方向溝（２４）内に係合し、該長手方向溝（２４）内で、ウエブ（８）の湾曲部（９）が、外方に向けられた、長手方向溝（２４）の下側の壁部（２６）を押し付け、挿入フィンガ（１１）の上端部が、長手方向溝（２４）の内方に向けられた壁部（２７）を押し付けるようになっていることを特徴とする、終端ストリップを固定するための装置。
【請求項２】
挿入フィンガ（１１）が、アングル材（２）の床脚（３）内に延在し、かつ角溝（６）に対して垂直に延在する少なくとも１つの切り込み（７）によって折り曲げられている、請求項１記載の装置。
【請求項３】
ウエブ（８）の湾曲部（９）が、約９０°以上、上方に折り曲げられていて、壁脚（４）に対するウエブ（８）の鋭角の角度（α）が有利には５°〜３０°である、請求項１又は２記載の装置。
【請求項４】
挿入フィンガ（１１）の自由端部（１０）が、湾曲部（９）とは逆向きに折り曲げられているか又は丸められている、請求項１から３までのいずれか１項記載の装置。
【請求項５】
アングル材（２）の床脚（３）が、互いに間隔を保った複数の挿入フィンガ（１１）に分岐している、請求項１から４までのいずれか１項記載の装置。
【請求項６】
挿入フィンガ（１１）が、薄いばね弾性的な金属又はプラスチック製のストリップであって、該ストリップが、終端ストリップ（１２）の下面から垂直に終端ストリップ（１２）内に形成された、挿入フィンガ（１１）の少なくとも３倍の幅の長手方向溝（２４）内に係合する、請求項１から５までのいずれか１項記載の装置。
【請求項７】
挿入フィンガ（１１）の高さ寸法が、終端ストリップ（１１）に延在する長手方向溝（２４）の深さ寸法よりも小さい、請求項１から６までのいずれか１項記載の装置。
【請求項８】
アングル材（２）の床脚（３）から、下方に折り曲げられた舌片（１５）が突き出している、請求項１から７までのいずれか１項記載の装置。
【発明の詳細な説明】
【技術分野】
【０００１】
本発明は、請求項１の上位概念部に記載した形式の終端ストリップを固定するための装置に関する。
【０００２】
たたき又は床張り（例えば敷きつめ絨毯又は平土間）を敷設する場合、必然的に壁にギャップが残存することになり、このギャプは、時間が経つにつれて床が沈下することによってさらに大きくなる。このようなギャップを覆って閉鎖するために、種々異なるベースモールディング若しくは終端ストリップ（Abschlussleiste）が開発されている。ヨーロッパ特許公開第９００８９７号明細書によれば、幅木を固定するための装置が公知であって、この装置によれば、組立レールが床張りの縁部領域に対応配置された受容室を備えており、この受容室内に、床張りの縁部領域が形状結合（形状による束縛）式に抱き込んで受容されるようになっている。このために、組立レールは、この領域にほぼＵ字形の横断面を有している。床張りの上面上に載るＵ字形脚部は２重脚として構成されており、この２重脚内に中間レールの係止成形部が差し込まれるようになっている。このような中間レールはＬ字形に構成されていて、同様に係止成形部を有しており、この係止成形部が幅木に係止されるようになっている。このような形式の中間レールを備えた構成は比較的高価であって、組立が不正確である。さらにまたドイツ連邦共和国特許公開第１０２２００４９号明細書によれば、終端ストリップを固定するための装置が公知であり、この装置においては、組立レールとしてのアングル材が、床脚から垂直に起立しているウエブを有していて、このウエブに終端ストリップが差し込まれ、次いで、ウエブがウエブ端部で以て所定のばねプリロードで以て終端ストリップを壁に押し付ける。この押し付け力は、ウエブの傾斜位置、長さ及び材料によってのみ規定され、この押し付け力を変えることは不可能である。このようなシステム及び構成は、非常に高価で、動かすことができず、修正することができない。
【０００３】
そこで本発明の課題は、幅木を固定するための装置を改良して、少ない費用で製造することができ、従って簡単かつ安価であって、しかも床の変化にも容易に適合することができ、後から取り付けることもできるようなものを提供することである。
【０００４】
この課題は本発明によれば、請求項１の特徴によって解決された。本発明によれば、ストリップ（帯材）としての床脚の一部を切断して、これを１回折り曲げて上方に湾曲させて、上方に突き出すウエブを、被せ嵌め可能な終端ストリップのための挿入フィンガとして用いられるようにした。このために高価な費用を必要とすることはない。またこのために、終端ストリップは、その底面で長手方向溝を有している。挿入フィンガは、足領域で湾曲部として構成され、その他が真っ直ぐなウエブとして構成されているが、アングル材の壁脚に対して鋭角を成しており、従って挿入フィンガは、その上端部領域で以て、載せられた終端ストリップを壁に対して押し付けるための正確なプリロード（予備荷重）を有している。挿入フィンガ上に載せられた終端ストリップは、この終端ストリップの長手方向溝で以て挿入フィンガを把持し、終端ストリップの壁部の下部領域が挿入フィンガの湾曲部を押し付けて、挿入フィンガが細くなるように保ち、それによって、挿入フィンガのウエブに形成された側方に押し付けるばね力が高められて、終端ストリップは上部領域で以て壁に対してより強く押し付けられ、下部領域で以て壁から離れる方向に押しやられるようになっている。挿入フィンガは、単にアングル材の床脚の折り曲げられた構成部分であるだけなので、この装置は特に簡単かつ安価である。
【０００５】
請求項２に記載した特徴によれば、挿入フィンガはアングル材から最も簡単に形成することができる。アングル材は、短い構成部分であって、この短い構成部分から、角溝まで達する２つの切り込みを有する、それぞれ中央部の両側に形成される外側の２つの挿入フィンガが得られる。２つの外側の挿入フィンガは湾曲部で折り曲げられ、中央部は床脚として残存するか、又は中央部が湾曲部で上方に折り曲げられ、残りの２つの挿入フィンガが支持作用及び／又は固定作用を有する床脚を形成する。このような装置を形成するための費用は安価である。
【０００６】
組立プロフィールに終端ストリップを固定するために、終端ストリップはその下底部（下面）で溝を有しており、この溝によって、終端ストリップは挿入フィンガに被せ嵌めることができる。挿入フィンガが溝の内壁で十分に支えられ、終端ストリップを壁に押し付けることができるようにするために、請求項３の特徴部に記載したように構成されていれば、特に有利である。湾曲部を９０°以上上方に折り曲げることによって形成された湾曲部は、下の溝領域内の壁部に対して良好に平面状に支えられる。湾曲部の湾曲を９０°以上にしたことによって、挿入フィンガは、溝内で対角線状に延在するようになっているので、挿入フィンガの自由端部は、湾曲部と対角線にある溝の内壁を押し付け、それによって終端ストリップを壁に押し付ける。特に、湾曲部は高いばね力を有しているので、溝が十分に狭く構成されていれば、壁脚に対する受容ストリップのウエブの角度は５°の鋭角で十分である。この角度は３０°であっても押圧力として肯定的に作用する。何故ならば、湾曲部が形成されていることによって、及び溝の内壁に自由に当接することによって、挿入フィンガは、相応に伸びて、調整することができるからである。
【０００７】
終端ストリップを挿入フィンガに容易に被せ嵌めることができるようにするために、有利には請求項４の特徴が用いられる。挿入フィンガの折り曲げられた端部又は丸められた端部によって、挿入フィンガは、終端ストリップを挿入フィンガに被せ嵌める際に、設けられた溝内に抵抗なしに容易に滑り込むことができる。挿入フィンガを注意深く挿入する必要はないか、又は挿入フィンガが終端ストリップの底部領域を切断することは避けられる。このような利点は、特に、現場において非常に頑丈であり、部材が正しい位置に滑り込まない場合、打撃工具を用いて部材を何回も所定の位置に設置し直すことができるので、非常に重要である。終端ストリップを正しい位置に後から設置する際にも、挿入フィンガの自由端部が丸められた面を有していて、鋭い縁部によって溝の内壁（この内壁に沿って挿入フィンガの自由端部が滑動する）を押し付けないようになっていれば、有利である。非常に簡単に安価な費用で、挿入フィンガの自由端部を湾曲部とは逆向きに折り曲げるか、又は丸めることができる。これによって、非常に簡単に前記利点が得られる。
【０００８】
アングル材の長さが、数メートルであるか又は数センチメートルであるかに応じて、相応の多くの切り込みを底部脚に設けることによって、多数の挿入フィンガを得ることができ、次いでこれらの挿入フィンガが、底部脚から折り曲げられる。１つ又は２つの挿入フィンガを備えた短いアングル材は、大きく曲がっている壁に使用される。長さに亘って分割された多数の挿入フィンガを有する、長い構成のアングル材（この場合、終端ストリップの長さに関する）は、長い真っ直ぐな壁に使用されるが、何度も保持する必要がある。このような簡単な製造においては、それぞれの底部長さ及び壁部構造に個別に対応することができるので、非常に有利である。挿入フィンガを互いに間隔を保って、簡単な切り込みによって、底部脚から折り曲げることができるようになっていることも、非常に有利である。
【０００９】
終端ストリップは支持力を受ける必要はなく、軽い飾り縁であり、わずかな継ぎ目を覆うだけでよいので、請求項６に記載した特徴を利用すれば、終端ストリップを固定するのに十分である。アングル材が金属より製造されていれば、アングル材の底部脚から薄いばね弾性的な金属ストリップが得られる。底部脚は、角溝まで切り込みを設ければ十分である。それによって得られた金属ストリップは、湾曲部で上方に折り曲げられる。金属ストリップに所望のばね力を与えるために、勿論、金属ストリップは焼入れされるが、これは高価なコストをかけることなく、迅速の実施することができる。アングル材をプラスチックより製造したい場合には、アングル材は射出成形法で形状付与され、この射出成形法において、挿入フィンガは、あらかじめ壁脚に対する鋭角及び湾曲部を有する所望の形状を有することができる。挿入フィンガに必要な弾性及びばね力を与えることができるプラスチックが提供されている。終端ストリップを、組立プロフィールの挿入フィンガ上に簡単かつ容易に載せるために、溝の幅を、挿入フィンガの幅の少なくとも３倍に構成すれば有利である。これによって、やや鋭角であるが、その自由端部で折り曲げられたウエブが抵抗なしに、溝内に導入され、側方で溝壁に当接する。湾曲部に一体成形された、挿入フィンガの部分が溝内に達すると直ちに、挿入フィンガは、上部が相互に及びひいては壁部に押し付けられる。
【００１０】
請求項７に記載した特徴を用いれば、非常に有利であることが分かった。終端ストリップに形成された溝の深さ寸法は、挿入フィンガの高さ寸法よりも絶対的に大きくなければならない。それによって、終端ストリップはその最も下側の縁部で以て、常に床上に載り、外観上不都合であるギャップを覆うことができる。時間が経過して床が沈下した場合は、終端ストリップを後から押すことによって、終端ストリップの下縁部が再び床張り上に位置するようにする必要がある。終端ストリップ内の溝の深さが、挿入フィンガの高さよりも大きいことによって、挿入フィンガの上縁部が、溝の内側端部にぶつかることはない。
【００１１】
本発明による装置が、請求項８に記載した特徴を有していれば、組み立てのために有利である。組立プロフィールがギャップの直接上側で壁に正しく位置決めされないと、これはアングル材の床脚から下方に突き出す舌片によって直ちに判明する。組立プロフィールが床張り上に載り、また壁に当接すると、舌片はギャップ内に係合する。この場合、舌片を折り曲げることができる程度に、舌片を少なくとも床脚から切り抜くか又は打ち抜き成形するためにかかる費用は安価である。舌片を良好に突き出して折り曲げることができるように、舌片打ち抜き部を壁脚に当て付けるようにしてもよい。重要なことは、舌片が床脚から下方に突き出して、床張りと壁との間の床ギャップ内に係合できるようにすることである。
【００１２】
本発明を以下に図示の実施例を用いて詳しく説明する。
【００１３】
図１は、本発明による装置の斜視図、
図２は、図１に示した装置の側面図、
図３は、変化実施例による装置の斜視図、
図４は、図３に示した装置の側面図、
図５は、終端ストリップ（ベースモールディング）が載せられている状態の、壁に固定された装置を示す。
【００１４】
図１に示した装置は、終端ストリップ（ベースモールディング）を固定するための組立成形材である。この装置１は、アングル材（山形材）２より成っており、このアングル材２は、図示していない固定ねじのために設けられている２つの孔５を備えている。アングル材２は、間接的に床張りを介して壁に固定される。同様に、床脚３を介してアングル材２を床に固定してもよい。この場合、少なくとも１つのねじ固定部を用いれば有利であるが、接着剤で固定してもよい。床脚３は、アングルプロフィール２の角溝６に向かって延在する切り込み７によって形成されており、従って、湾曲部９を介して上方に湾曲されたウエブ８が得られる。湾曲部９は約９０°引き上げて曲げられており、従ってウエブ８は、壁脚４に対して約５°〜３０°の鋭角αを成している。ウエブ８の上側の自由端部１０は、湾曲部９とは逆向きに折り曲げられている。この自由端部１０は丸められていてもよい。この、湾曲され、ひいては床脚３から切り離されたウエブ８は、被せ嵌めようとする終端ストリップ１２（図５に示されている）のための挿入フィンガ１１を形成する。
【００１５】
床脚３は、さらに別の切り込み７を有しており、この別の切り込み７によって、第２の挿入フィンガ１１に湾曲部９及び折り曲げられた端部１０が形成される。２つの外側のウエブ８を床脚としてそのまま残し、中央の床脚をウエブ８として折り曲げて挿入フィンガ１１を形成するようにしてもよい。
【００１６】
図２には、本発明による装置１を側方から見た図が示されている。各部分には同じ符号が付けられている。図２によれば、ウエブ８が湾曲部９の挿入フィンガ１１として上方に折り曲げられ、この際に湾曲部９は９０°よりもやや大きいので、挿入フィンガ１１は約１０°の角度αで壁脚４に向けられている。挿入フィンガ１１の自由端部１０は挿入フィンガ１０とは逆向きに折り曲げられている。床脚３は、床張り２１上に平らに載り、その下側１３に接着剤を塗布することができる。
【００１７】
図３には、図１と同様の装置が示されており、すべての同じ部材は同じ符号で示されている。この図３に示した実施例は図１に示した実施例とは異なり、床脚３の中央部１４から打ち抜き成形された舌片１５が下方に折り曲げられていて、折り曲げられた自由端部１６を備えている。また打ち抜き成形された孔１７が設けられており、この孔１７は、舌片１５を外方へ折り曲げることによって得られる。舌片切り抜き部１８は、図３で角溝６まで達しており、この場合、舌片１５自体は、壁脚４に対して約５°〜３０°の角度βを成していて、プリロード（予備荷重）を受けて壁２０と床張り２１との間のギャップ１９内に係合し、アングル材２を壁に押し付けるようになっている。
【００１８】
図４には、この装置１の側面図が示されている。下方に折り曲げられた舌片１５は、床脚３の中央部１４から打ち抜き成形されているだけではなく、打ち抜かれた切片は、角溝６からさらに少しだけ上方に壁脚４に向かって延びている。舌片１５はここでは、湾曲部なしで、完全に真っ直ぐに折り曲げられていて、壁２０に対して約３０°の角度βを成している。舌片１５が床ギャップ１９内に係合すると、舌片１５はギャップの幅に応じてアングル材２０を壁２０により強く又は弱く押し付ける。
【００１９】
図５には、壁２０と床張り２１とが示されており、この壁２０と床張り２１との間に、敷設時にギャップ１９が残存し、このギャップ１９は終端ストリップ１２によって覆う必要がある。そのために、この装置１がアングル材２として壁部２０にねじ２２によって固定され、このねじ２２が孔５に係合するようになっている。アングル材２は、その床脚３が床張り２１上に載るように壁２０に設置される。従って、組み付け時に補助手段は必要ない。挿入フィンガ１１は、湾曲部９において上方に湾曲していて、壁２０に対して角度αを成している。終端ストリップ１２は、挿入フィンガ１１上に載せられ、挿入フィンガ１１が終端ストリップ１２のアンダーボディー２３に形成された溝２４内に係合する。挿入フィンガ１１が溝２４内に深く侵入すればする程、挿入フィンガ１１はその折り曲げられた端部１０でより強く終端ストリップ１２を壁２０に押し付ける。特に下側の湾曲部９が溝２４内に侵入すると、終端ストリップ１２の下部は、壁２０からやや離れる方向におしやられ、終端ストリップ１２の上部は壁２０に向かう方向に押しやられる。
【００２０】
図５に示されているように、挿入フィンガ１１の自由端部１０及び湾曲部９は、強められたばね応力を有しており、このばね応力によって、挿入フィンガ１１の自由端部１０及び湾曲部９は壁２０に押し付けられる。湾曲部９は溝２４内に侵入する際に細くなるように構成する必要があり、また挿入フィンガ１１はその自由端部１０で以て壁２０に対して、より鋭角になるようにする必要がある。それによって、ばね弾性的な押し付け力が強くなり、所望の押し付け力が得られる。湾曲部９は、長手方向溝２４の、外方に向けられた壁部２６を押し付け、挿入フィンガ１１の自由端部１０は、長手方向溝２４の内方に向けられた壁部２７を押し付けるようになっているので、終端ストリップ１２は常に壁と同一平面で押し付けられる。床張り２１が下降する場合も、終端ストリップ１２を、終端ストリップ１２の下側の前縁部２５が床張り２１上に載って、溝２４が隠れるまで、より深く押し込むことができる。
【図面の簡単な説明】
【００２１】
【図１】本発明による装置の斜視図である。
【図２】図１に示した装置の側面図である。
【図３】変化実施例による装置の斜視図である。
【図４】図３に示した装置の側面図である。
【図５】終端ストリップ（ベースモールディング）が載せられている様態の、壁に固定された装置を示す断面図である。
【符号の説明】
【００２２】
１  装置
２  アングル材
３  床脚
４  壁脚
５  固定孔
６  角溝
７  切り込み
８  ウエブ
９  湾曲部
１０  自由端部
１１  挿入フィンガ
１２  終端ストリップ（ベースモールディング）
１３  下側
１４  中央部
１５  舌片
１６  フック状に折り曲げられた端部
１７  孔
１８  舌片切り抜き部
１９  ギャップ
２０  壁
２１  床張り
２２  ねじ
２３  アンダーボディー
２４  溝
２５  前縁部
２６  外方に向けられた壁部
２７  内方に向けられた壁部
【図１】
2008516108.tif 000003
【図２】
2008516108.tif 000004
【図３】
2008516108.tif 000005
【図４】
2008516108.tif 000006
【図５】
2008516108.tif 000007
【国際調査報告】
2008516108.tif 000008
2008516108.tif 000009
2008516108.tif 000010
2008516108.tif 000011
2008516108.tif 000012
2008516108.tif 000013